(57)【要約】【課題】管状ブロック全体の強度が十分に確保され、且つ、周囲の土壁から管状ブロック内部への土石の侵入を効果的に抑制し得る開口の構造を有する管状ブロックを提供すること。【解決手段】管状に形成され、地面に形成された空洞７０に埋設される樹脂性の管状ブロック１０は、管状ブロック１０の表面の少なくとも一部が、互いに平行な複数の第１リブ１４と、第１リブ１４と交差する方向に延びる互いに平行な複数の第２リブ１５とにより構成される。隣り合う１組の第１リブ１４と、隣り合う１組の第２リブ１５とによって囲まれる領域が、管状ブロック１０の表面に形成される開口１６となる。開口１６は、空洞７０を画成する土壁から管状ブロック１０内部への土石の侵入を抑止する大きさとなっている。開口１６を覆う不織布１７が設けられ、不織布１７は、一体成形により管状ブロック１０に固定されている。【選択図】図１
2019199713.tif 000002
【特許請求の範囲】
【請求項１】
管状に形成され、地面に形成された空洞に埋設される樹脂性の管状ブロックであって、
前記管状ブロックの表面の少なくとも一部が、互いに平行な複数の第１リブと、前記第１リブと交差する方向に延びる互いに平行な複数の第２リブとにより構成され、
隣り合う１組の前記第１リブと、隣り合う１組の前記第２リブとによって囲まれる領域が前記管状ブロックの表面に形成される開口となり、
前記開口は、前記空洞を画成する土壁から前記管状ブロック内部への土石の侵入を抑止する大きさとなっている、
管状ブロック。
【請求項２】
少なくとも前記開口を覆う不織布をさらに有し、
前記不織布は、前記管状ブロック内部から前記土壁へ浸透する水に含まれる所定の物質を除去する機能を有する、
請求項１に記載の管状ブロック。
【請求項３】
前記不織布が一体成形により前記管状ブロックに固定された、
請求項２に記載の管状ブロック。
【請求項４】
前記管状ブロックの管軸方向の一端と、他の前記管状ブロックの管軸方向の他端とは、互いに着脱可能に形成された、
請求項１乃至３のいずれか１項に記載の管状ブロック。
【請求項５】
請求項４に記載の１以上の管状ブロックと、
前記管状ブロックと管軸が一致するよう接続される補助管と、を備えた管状ブロック構造体であって、
前記補助管の管軸方向の一端と、前記管状ブロックの管軸方向の他端とは、互いに着脱可能に形成され、
前記管状ブロック構造体は、前記空洞に埋設され、
前記空洞を画成する土壁の不浸透層に対応する位置に前記補助管が配置され、前記土壁の浸透層に対応する位置に前記管状ブロックが配置されるよう、前記管状ブロックと前記補助管とが接続された、
管状ブロック構造体。
【請求項６】
前記管状ブロック構造体の上流側に、当該管状ブロック構造体内に水を流入するための管状のフィルタブロックがさらに接続され、
前記フィルタブロックの管軸方向端部は、前記管状ブロックの他端及び前記補助管の他端のいずれにも着脱可能に形成され、
前記フィルタブロックには１以上の開口が形成され、
前記フィルタブロックの内側には、前記管状ブロックに固定された不織布と同じ又は当該不織布よりも目の粗い不織布が前記開口を覆うように固定された、
請求項５に記載の管状ブロック構造体。
【発明の詳細な説明】
【技術分野】
【０００１】
本発明は、雨水浸透構造体を構成するための管状ブロック、及び、その管状ブロックを用いた管状ブロック構造体に関する。
【背景技術】
【０００２】
近年、多数の地域にて、ゲリラ豪雨と呼ばれる集中豪雨などの、下水管の処理能力を超える量の降雨が比較的頻繁に発生している。このような降雨が発生すると、路面に水が溜まり、路面に溜まった水は、河川の氾濫、及び、標高の低い地域での床上浸水などの被害を引き起こす。
【０００３】
従来から、このような被害の発生を抑制するための対策の一つとして、道路の路肩などに設置された雨水集水ますに流入する雨水を地中に効果的に浸透させるための雨水浸透構造体が提案されてきている（例えば、特許文献１を参照）。
【０００４】
上記文献に記載の雨水浸透構造体は、雨水集水ますの底面から地中に向けて下方に延びるように形成された空洞に挿入・配置される円筒状の雨水浸透管と、雨水浸透管の内部全体に充填される内部フィルタと、雨水浸透管の外部を覆うように配置される外部フィルタと、で構成される。
【０００５】
この雨水浸透管においては、空洞を画成する土壁のうち浸透層に対応する（深さ方向の）位置の側面に、複数の開口（貫通孔）が形成されている。このため、雨水集水ますに流入する雨水は、雨水浸透管の内部の内部フィルタを通過し、雨水浸透管の側面の開口及び外部フィルタを介して、地中の浸透層に積極的に案内され効果的に浸透され得る。
【先行技術文献】
【特許文献】
【０００６】
【特許文献１】特開２０１１−２１３４９号公報
【発明の概要】
【発明が解決しようとする課題】
【０００７】
ところで、上記文献においては、雨水浸透管の側面に形成された開口の構造に関しては何ら記載されていない。このような雨水浸透管として使用される管状ブロックの側面に形成される開口の構造としては、管状ブロック全体の強度が十分に確保され、且つ、周囲の土壁から管状ブロック内部への土石の侵入を効果的に抑制し得るものが好ましい。
【０００８】
本発明は、上述した事情に鑑みてなされたものであり、その目的は、管状ブロック全体の強度が十分に確保され、且つ、周囲の土壁から管状ブロック内部への土石の侵入を効果的に抑制し得る開口の構造を有する、管状ブロック、及び、その管状ブロックを用いた管状ブロック構造体を提供することにある。
【課題を解決するための手段】
【０００９】
前述した目的を達成するために、本発明に係る管状ブロックは、下記（１）〜（４）を特徴としている。
（１）  管状に形成され、地面に形成された空洞に埋設される樹脂性の管状ブロックであって、
前記管状ブロックの表面の少なくとも一部が、互いに平行な複数の第１リブと、前記第１リブと交差する方向に延びる互いに平行な複数の第２リブとにより構成され、
隣り合う１組の前記第１リブと、隣り合う１組の前記第２リブとによって囲まれる領域が前記管状ブロックの表面に形成される開口となり、
前記開口は、前記空洞を画成する土壁から前記管状ブロック内部への土石の侵入を抑止する大きさとなっていること。
【００１０】
（２）  上記（１）に記載の管状ブロックにおいて、
少なくとも前記開口を覆う不織布をさらに有し、
前記不織布は、前記管状ブロック内部から前記土壁へ浸透する水に含まれる所定の物質を除去する機能を有すること。
【００１１】
（３）  上記（２）に記載の管状ブロックにおいて、
前記不織布が一体成形により前記管状ブロックに固定されたこと。
【００１２】
（４）  上記（１）乃至（３）の何れか１つに記載の管状ブロックにおいて、
前記管状ブロックの管軸方向の一端と、他の前記管状ブロックの管軸方向の他端とは、互いに着脱可能に形成されたこと。
【００１３】
上記（１）の構成の管状ブロックによれば、管状ブロックの表面（側面）に形成される開口（貫通孔）が、管状ブロックの表面（側面）を構成する隣り合う１組の第１リブと隣り合う１組の第２リブとによって囲まれる領域として形成される。これにより、第１、第２リブの本数、太さ、間隔などを調整することで、管状ブロック全体の強度が、要求される強度以上となるように、管状ブロックを容易に設計することができる。更には、開口が、空洞を画成する土壁から管状ブロック内部への土石の侵入を抑止する大きさとなっている。これにより、周囲の土壁から管状ブロック内部への土石の侵入を効果的に抑制することができる。
【００１４】
上記（２）の構成の管状ブロックによれば、管状ブロックの内部から土壁へ浸透する水に含まれる浮遊物質及び懸濁物質などを効果的に除去することができる。加えて、開口が、空洞を画成する土壁から管状ブロック内部への土石の侵入を抑止する大きさとなっているので、不織布に対して土石による過度の土圧が作用し難い。このため、不織布の耐久性が向上する。
【００１５】
上記（３）の構成の管状ブロックによれば、不織布が管状ブロックに一体成形されているので、管状ブロックを地面に形成された空洞に埋設した後に、管状ブロックに不織布を配置する工程を行う必要がない。したがって、上記文献に記載のように、空洞への管状ブロックの設置後に内部フィルタ及び外部フィルタを配置する工程が必要となる態様と比べて、雨水浸透構造体の設置に要する工期を短縮できる。
【００１６】
上記（４）の構成の管状ブロックによれば、管状ブロック同士を管軸が一致するように直列接続することができる。このため、同じ長さの１種類の複数の管状ブロックを直列接続する個数を適宜変更することで、管状ブロック構造体（雨水浸透構造体）の長さを、地面の空洞の深さに応じた長さに容易に調整することができる。この結果、上記文献に記載のように、雨水浸透構造体の長さを調整するために、長さが異なる複数種類の雨水浸透管を準備する必要がなくなるので、管状ブロックの製造コストを低くすることができる。
【００１７】
また、前述した目的を達成するために、本発明に係る管状ブロック構造体は、下記（５）〜（６）を特徴としている。
（５）  上記（４）に記載の１以上の管状ブロックと、
前記管状ブロックと管軸が一致するよう接続される補助管と、を備えた管状ブロック構造体であって、
前記補助管の管軸方向の一端と、前記管状ブロックの管軸方向の他端とは、互いに着脱可能に形成され、
前記管状ブロック構造体は、前記空洞に埋設され、
前記空洞を画成する土壁の不浸透層に対応する位置に前記補助管が配置され、前記土壁の浸透層に対応する位置に前記管状ブロックが配置されるよう、前記管状ブロックと前記補助管とが接続されたこと。
【００１８】
（６）  上記（５）に記載の管状ブロック構造体において、
前記管状ブロック構造体の上流側に、当該管状ブロック構造体内に水を流入するための管状のフィルタブロックがさらに接続され、
前記フィルタブロックの管軸方向端部は、前記管状ブロックの他端及び前記補助管の他端のいずれにも着脱可能に形成され、
前記フィルタブロックには１以上の開口が形成され、
前記フィルタブロックの内側には、前記管状ブロックに固定された不織布と同じ又は当該不織布よりも目の粗い不織布が前記開口を覆うように固定されたこと。
【００１９】
上記（５）の構成の管状ブロック構造体によれば、空洞を画成する土壁が深さ方向の全域に亘って浸透層で構成される場合には、側面に開口を有さない（無孔の）補助管を用いることなく、側面に開口を有する（有孔の）管状ブロックのみで管状ブロック構造体が構成され得る。一方、空洞を画成する土壁が深さ方向において浸透層の部分と不浸透層の部分とを含む場合には、不浸透層に対応する位置に無孔の補助管が配置され、浸透層に対応する位置に有孔の管状ブロックが配置され得る。この結果、管状ブロック構造体に、空洞の態様に応じたバリエーションを持たせることができる。
【００２０】
更に、空洞を画成する土壁が深さ方向において浸透層の部分と不浸透層の部分とを含む場合において、相対的に高価な管状ブロックと相対的に安価な補助管とを併用することで、相対的に高価な管状ブロックのみで管状ブロック構造体を構成する場合と比べて、管状ブロック構造体全体の製造コストを低くすることができる。
【００２１】
更に、管状ブロック構造体を構成する複数の管状ブロック、又は、管状ブロック及び補助管が既に直列接続された状態（一体化された状態）で、管状ブロック構造体全体を空洞に挿入し、且つ、空洞から引き抜くことができる。このため、管状ブロック構造体の設置及び撤去に関する作業が非常に容易となる。
【００２２】
上記（６）の構成の管状ブロック構造体によれば、フィルタブロックの設置により、土石などの不要物質が除去された水を管状ブロック構造体内に流入させることができる。加えて、フィルタブロックの管軸方向端部が、管状ブロックの他端及び補助管の他端のいずれにも着脱可能に形成されている。このため、管状ブロックのみで管状ブロック構造体を構成する場合、及び、管状ブロックと補助管とを併用して管状ブロック構造体を構成する場合の何れの場合においても、管状ブロック構造体の上流側にフィルタブロックを配置することができる。
【００２３】
更に、フィルタブロックの内側には、管状ブロックに固定された不織布と同じ又は当該不織布よりも目の粗い不織布が設けられている。これにより、この不織布の目詰まりの発生が極力抑制され得る。
【発明の効果】
【００２４】
本発明によれば、管状ブロック全体の強度が十分に確保され、且つ、周囲の土壁から管状ブロック内部への土石の侵入を効果的に抑制し得る開口の構造を有する、管状ブロック、及び、その管状ブロックを用いた管状ブロック構造体を提供できる。
【００２５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２６】
【図１】図１は、本発明の実施形態に係る管状ブロック構造体が、道路の路肩に設置された雨水集水ますの底面から地中に向けて下方に延びる空洞の内部に設置された場合の一例を示す模式図である。
【図２】図２は、図１に示す２−２線断面図である。
【図３】図３は、図１に示す管状ブロック構造体の分解側面図である。
【図４】図４（ａ）は、図１に示す管状ブロックの斜視図であり、図４（ｂ）は、当該管状ブロックの主要断面図である。
【図５】図５（ａ）は、図１に示すキャップの斜視図であり、図５（ｂ）は、当該キャップの主要断面図である。
【図６】図６（ａ）は、本発明の実施形態に係る管状ブロック構造体を地中に埋設する際の手順を説明するための第１の図であり、図６（ｂ）は、当該手順を説明するための第２の図である。
【図７】図７（ａ）は、本発明の実施形態に係る管状ブロック構造体を地中に埋設する際の手順を説明するための第３の図であり、図７（ｂ）は、当該手順を説明するための第４の図である。
【発明を実施するための形態】
【００２７】
以下、図面を参照しながら、本発明の実施形態に係る管状ブロック１０、及び、管状ブロック１０を用いた管状ブロック構造体１について説明する。
【００２８】
図１に示す管状ブロック構造体１は、道路６０の車道６１と歩道６２との間に位置する路肩６３に設置された雨水集水ます６４に流入する雨水を地中に効果的に浸透させるために設置された雨水浸透構造体である。
【００２９】
雨水集水ます６４における底面から所定高さの位置の側面には、下水道本管（図示省略）に接続する接続管６５が設けられている。これにより、雨水集水ます６４内に溜まった雨水の液面が、雨水集水ます６４の底面から前記所定高さに達すると、液面近傍の雨水が接続管６５を介して下水本管に流出するようになっている。雨水集水ます６４の底面に設けられた貫通孔６６には、貫通孔６６から地中（下方）に向けて距離「Ｌ１＋Ｌ２」だけ下方に延びる空洞７０が連続している。
【００３０】
図１に示す例では、地中において、地面から、雨水集水ます６４の底面より距離Ｌ１だけ下方の位置までの深さ範囲において、不浸透層６７（水が浸透し難い土石で構成される層）が位置し、不浸透層６７の下方には浸透層６８（水が浸透し易い土石で構成される層）が位置している。このため、空洞７０を画成する土壁（空洞７０の内壁）は、上側の距離Ｌ１に対応する部分が不浸透層６７で構成され、下側の距離Ｌ２に対応する部分が浸透層６８で構成されている。したがって、雨水集水ます６４に流入する雨水を地中に効果的に浸透させるためには、雨水集水ます６４に溜まった雨水を、空洞７０における下側の距離Ｌ２に対応する部分の土壁を介して、浸透層６８内に浸透させる必要がある。
【００３１】
図１に示す例では、管状ブロック構造体１は、雨水集水ます６４の底面の貫通孔６６を介して、空洞７０内に挿入され、設置される。図２に示すように、空洞７０内に設置された管状ブロック構造体１の外側面と、空洞７０を画成する土壁との間の空間には、埋戻し材７１が充填されている。埋戻し材７１は、典型的には、粗めの洗い砂で構成される。
【００３２】
以下、図３〜図５を参照しながら、管状ブロック構造体１を構成する各構成部品について順に説明する。図３に示すように、図１に示す管状ブロック構造体１は、管状ブロック１０と、補助管２０と、フィルタブロック３０と、キャップ４０と、ジョイント５０と、を含んでいる。
【００３３】
樹脂製の管状ブロック１０は、図４に示すように、円筒状の本体部１１と、本体部１１の管軸方向の一端に同軸的に連続する円筒状の雄ネジ部１２と、本体部１１の管軸方向の他端に同軸的に連続する円筒状の雌ネジ部１３と、で構成された成形体である。管状ブロック１０は、典型的には、強度及び耐久性に優れるポリプロピレンで構成され得る。
【００３４】
本体部１１の側面（表面）の略全体は、管軸方向に所定間隔を空けてそれぞれが周方向に互いに平行に延びる複数の第１リブ１４と、周方向に所定間隔を空けてそれぞれが管軸方向に互いに平行に延びる複数の第２リブ１５と、により構成されている。このため、本体部１１の側面（表面）には、略全体に亘って、隣り合う１組の第１リブ１４と隣り合う１組の第２リブ１５とによってそれぞれが囲まれた複数の矩形状の開口１６（貫通孔）が形成されている。各開口１６は、空洞７０を画成する土壁から管状ブロック１０の内部への土石の侵入を抑止する大きさとなっている。
【００３５】
更に、図２に示すように、本体部１１の円筒状内壁面（より具体的には、第１、第２リブ１４，１５の内壁面）には、その略全域（したがって、開口１６）を覆うように、不織布１７が一体成形されている。不織布１７は、管状ブロック１０の内部から空洞７０の土壁へ浸透する水に含まれる所定の物質（例えば、浮遊物質及び懸濁物質）を除去する機能を発揮する。不織布１７は、典型的には、水を良く通し且つ砂と同等以上の透水係数を有するポリエステルで構成され得る。
【００３６】
図４に戻り、雄ネジ部１２の外側面には、雄ネジ１２ａが形成されている。一方、雌ネジ部１３の内側面には、雌ネジ１３ａが形成されている。雄ネジ部１２の雄ネジ１２ａと、雌ネジ部１３の雌ネジ１３ａとは、互いに螺合可能な形状となっている。換言すれば、管状ブロック１０の雄ネジ部１２と、他の管状ブロック１０の雌ネジ部１３とは、互いに着脱可能に形成されており、管状ブロック１０同士を管軸が一致するように直列接続することができるようになっている。
【００３７】
このため、同じ長さの１種類の複数の管状ブロック１０を直列接続する個数を適宜変更することで、管状ブロック構造体１における管状ブロック１０で構成される部分（即ち、側面に開口１６を有する有孔管）の長さを容易に調整することができる。図１に示す例では、同じ長さの１種類の３つの管状ブロック１０が直列接続されることで、管状ブロック構造体１における有孔管の長さが、空洞７０における浸透層６８の深さＬ２に近い長さに調整されている。図１に示す例では、各管状ブロック１０が、雄ネジ部１２が下端側となる向きで空洞７０内に配置されている。
【００３８】
樹脂製のキャップ４０は、図５に示すように、有底円筒状の形状を有し、その内側面には、管状ブロック１０の雄ネジ１２ａと螺合可能な雌ネジ４０ａが形成されている。したがって、キャップ４０と、管状ブロック１０の雄ネジ部１２とは、互いに着脱可能となっている。キャップ４０の外径は、管状ブロック１０の外径と略一致している。キャップ４０は、典型的には、強度及び耐久性に優れるポリプロピレンで構成され得る。
【００３９】
図１に示す例では、図３に示すように、キャップ４０が、管状ブロック構造体１の有孔管を構成する３つの管状ブロック１０のうち最も下側に位置する管状ブロック１０（以下、「最下位管状ブロック１０」とも呼ぶ）の下端側の雄ネジ部１２に取り付けられる。これにより、空洞７０の底面を画成する土壁から、最下位管状ブロック１０の下端側の開口を介して管状ブロック１０の内部へ土石が侵入することが抑制され得る。
【００４０】
樹脂製の補助管２０は、典型的には、塩化ビニル製の円筒状の成形体である。補助管２０の側面には開口が形成されていない。即ち、補助管２０は、無孔管である。補助管２０の外径は、管状ブロック１０の外径と略一致している。図１に示す例では、補助管２０の長さが、空洞７０における不浸透層６７の深さＬ１に近い長さに調整されている。
【００４１】
図３に示すように、樹脂製のジョイント５０は、管状ブロック１０の雌ネジ部１３と、補助管２０の下端と、を接続・固定するための円筒状の部材である。ジョイント５０の下端側には、管状ブロック１０の雌ネジ部１３の雌ネジ１３ａと螺合可能な雄ネジを有する雄ネジ部５１が形成されている。図１に示す例では、ジョイント５０の下端側の雄ネジ部５１と、管状ブロック構造体１の有孔管を構成する３つの管状ブロック１０のうち最も上側に位置する管状ブロック１０（以下、「最上位管状ブロック１０」とも呼ぶ）の上端側の雌ネジ部１３とが螺合され、ジョイント５０の上端部と、補助管２０の下端部とが任意の手法で同軸的に接続・固定されることで、最上位管状ブロック１０と補助管２０とが、ジョイント５０を介して同軸的に接続・固定されている。ジョイント５０の外径は、管状ブロック１０の外径と略一致している。ジョイント５０は、典型的には、塩化ビニルで構成される。
【００４２】
図３に示すように、樹脂製のフィルタブロック３０は、側面に複数の開口３４（貫通孔）が形成された円筒状の本体部３１と、本体部３１の管軸方向の上端側の開口を塞ぐように当該上端側に接続・固定された有底円筒状のキャップ３２と、本体部３１の管軸方向の下端側に接続・固定された円筒状のジョイント３３と、を有する。フィルタブロック３０（＝本体部３１＋キャップ３２＋ジョイント３３）の外径は、管状ブロック１０の外径と略一致している。本体部３１及びキャップ３２は、典型的には、強度及び耐久性に優れるポリプロピレンで構成され、ジョイント３３は、典型的には、塩化ビニルで構成される。
【００４３】
更に、本体部３１の円筒状内壁面には、その略全域、したがって、開口３４を覆うように、管状ブロック１０の不織布１７と同様に、不織布（図示省略）が一体成形されている。この不織布は、雨水集水ます６４から管状ブロック構造体１内に流入する雨水をろ過する機能を発揮する。なお、本明細書において、ろ過とは雨水など流入する水から土石など特定の物質を除去することを意味する。この不織布の目詰まりの発生を極力抑制するため、この不織布として、管状ブロック１０の不織布１７より目が粗いものが使用されることが好適である。この不織布も、不織布１７と同様、典型的には、水を良く通し且つ砂と同等以上の透水係数を有する「ポリ塩化ビニル＋ポリエステル」で構成され得る。
【００４４】
キャップ３２は、雨水集水ます６４内の雨水が、不織布によってろ過されることなく、フィルタブロック３０（より具体的には、本体部３１）の上端側の開口を介して管状ブロック構造体１内に流入することを防止するために設けられる部材である。ジョイント３３は、本体部３１の下端と、補助管２０の上端とを接続・固定するために設けられる部材である。ジョイント３３の下端部と、補助管２０の上端部とは、任意の手法で同軸的に接続・固定される。
【００４５】
ここで、本体部３１、キャップ３２、及び、ジョイント３３として、それぞれ、管状ブロック１０、キャップ４０、及び、ジョイント５０が使用され得る。この場合、管状ブロック１０が、雄ネジ部１２が上端側となる向きで配置され、管状ブロック１０の雄ネジ部１２とキャップ４０とが螺合され、本体部１１の雌ネジ部１３と、ジョイント５０の雄ネジ部５１とが螺合される。
【００４６】
以上のように各構成部品が直列に接続・固定されて一体化された管状ブロック構造体１が、空洞７０内に設置された状態では、図１に示すように、３つの管状ブロック１０で構成される有孔管の部分が、空洞７０を画成する土壁における浸透層６８に対応する深さ範囲に配置され、補助管２０で構成される無孔管の部分が、空洞７０を画成する土壁における不浸透層６７に対応する深さ範囲に配置される。フィルタブロック３０は、雨水集水ます６４の貫通孔６６を介して雨水集水ます６４の底面から上方に突出し、雨水集水ます６４の内部に位置している。
【００４７】
したがって、図１に示す例では、雨水集水ます６４に流入する雨水は、フィルタブロック３０の本体部３１の開口３４を通過し、本体部３１の内壁面に一体成形された不織布でろ過された後に、管状ブロック構造体１の内部に流入する。流入しろ過された水は、下方に落下し、無孔の補助管２０の内部を通過して、有孔の管状ブロック１０の内部に到達する。管状ブロック１０の内部に到達した水は、本体部１１に一体成形されている不織布１７を通過して当該水に含まれる所定の物質（例えば、浮遊物質及び懸濁物質）が除去され、その後、本体部１１の側面の開口１６、及び、埋戻し材７１を介して、地中の浸透層６８に浸透していく。このように、雨水集水ます６４に流入する雨水は、ろ過され、且つ、所定の物質（例えば、浮遊物質及び懸濁物質）が除去された状態で、地中の浸透層６８に積極的に案内されていく。この結果、当該水が、地中の浸透層６８内に効果的に浸透され得る。
【００４８】
次に、図６及び図７を参照しながら、管状ブロック構造体１を地中に設置する際の手順について簡単に説明する。この例では、地中において、地面から所定の深さまでの深さ範囲において不浸透層６７が位置し、不浸透層６７の下方に浸透層６８が位置している。
【００４９】
先ず、図６（ａ）に示すように、管状ブロック構造体１を設置するための空洞７０を形成すべき位置に、ボーリングマシン８０を配置する。次に、図６（ｂ）に示すように、オーガースクリュ等のスクリュ９０をボーリングマシン８０に取り付け、ボーリングマシン８０及びスクリュ９０を利用して、所定の深さの空洞７０を形成する。空洞７０の最下端は、浸透層６８に位置している。なお、状況に応じて、ボーリングマシン８０を利用することなく、人力または公知の削孔器具で空洞７０を形成してもよいことはもちろんである。
【００５０】
次に、図７（ａ）に示すように、フィルタブロック３０以外の組み付けが完了した状態にある管状ブロック構造体１を空洞７０に挿入し、空洞７０内に設置する。この例では、複数の管状ブロック１０で構成される有孔管の部分が、空洞７０を画成する土壁における浸透層６８に対応する深さ範囲に配置され、補助管２０で構成される無孔管の部分が、空洞７０を画成する土壁における不浸透層６７に対応する深さ範囲に配置されている。その後、管状ブロック構造体１の上端部にフィルタブロック３０を組み付ける。
【００５１】
そして、図７（ｂ）に示すように、空洞７０内に設置された管状ブロック構造体１の外側面と、空洞７０を画成する土壁との間の空間に、埋戻し材７１を充填する。この場合、管状ブロック１０で構成される有孔管の外側面と、空洞７０を画成する浸透層６８との間の空間には埋戻し材７１を充填し、補助管２０で構成される無孔管の外側面と、空洞７０を画成する不浸透層６７との間の空間には、埋戻し材７１に代えて生土を充填してもよい。これにより、管状ブロック構造体１を地中に設置する作業が完了する。
【００５２】
（作用・効果）
本発明の実施形態に係る管状ブロック１０、及び、管状ブロック構造体１によれば、管状ブロック１０の表面（側面）に形成される開口１６（貫通孔）が、管状ブロック１０の表面（側面）を構成する隣り合う１組の第１リブ１４と隣り合う１組の第２リブ１５とによって囲まれる領域として形成される。これにより、第１、第２リブ１４，１５の本数、太さ、間隔などを調整することで、管状ブロック１０全体の強度が、要求される強度以上となるように、管状ブロック１０を容易に設計することができる。更には、開口１６が、空洞７０を画成する土壁から管状ブロック１０内部への土石の侵入を抑止する大きさとなっている。これにより、周囲の土壁から管状ブロック１０内部への土石の侵入を効果的に抑制することができる。
【００５３】
更に、管状ブロック１０には、開口１６を覆う不織布１７が設けられている。このため、管状ブロック１０の内部から土壁へ浸透する水に含まれる浮遊物質及び懸濁物質などを効果的に除去することができる。加えて、開口１６が、空洞７０を画成する土壁から管状ブロック１０内部への土石の侵入を抑止する大きさとなっているので、不織布１７に対して土石による過度の土圧が作用し難い。このため、不織布１７の耐久性が向上する。
【００５４】
更に、不織布１７が管状ブロック１０に一体成形されているので、管状ブロック１０を地面に形成された空洞７０に埋設した後に、管状ブロック１０に不織布１７を配置する工程を行う必要がない。したがって、上記文献に記載のように、空洞への管状ブロックの設置後に内部フィルタ及び外部フィルタを配置する工程が必要となる態様と比べて、雨水浸透構造体の設置に要する工期を短縮できる。
【００５５】
更に、管状ブロック１０の管軸方向の一端と、他の管状ブロック１０の管軸方向の他端とは、互いに着脱可能であるため、管状ブロック１０同士を管軸が一致するように直列接続することができる。このため、同じ長さの１種類の複数の管状ブロック１０を直列接続する個数を適宜変更することで、管状ブロック構造体１（雨水浸透構造体）の長さを、地面の空洞７０の深さに応じた長さに容易に調整することができる。この結果、上記文献に記載のように、雨水浸透構造体の長さを調整するために、長さが異なる複数種類の雨水浸透管を準備する必要がなくなるので、管状ブロック１０の製造コストを低くすることができる。
【００５６】
更に、補助管２０の管軸方向の一端と、管状ブロック１０の管軸方向の他端とは、互いに着脱可能である。このため、空洞７０を画成する土壁が深さ方向の全域に亘って浸透層６８で構成される場合には、無孔の補助管２０を用いることなく、有孔の管状ブロック１０のみで管状ブロック構造体１が構成され得る。一方、空洞７０を画成する土壁が深さ方向において浸透層６８の部分と不浸透層６７の部分とを含む場合には、不浸透層６７に対応する位置に無孔の補助管２０が配置され、浸透層６８に対応する位置に有孔の管状ブロック１０が配置され得る。この結果、管状ブロック構造体１に、空洞７０の態様に応じたバリエーションを持たせることができる。
【００５７】
更に、空洞７０を画成する土壁が深さ方向において浸透層６８の部分と不浸透層６７の部分とを含む場合において、相対的に高価な管状ブロック１０と相対的に安価な補助管２０とを併用することで、相対的に高価な管状ブロック１０のみで管状ブロック構造体１を構成する場合と比べて、管状ブロック構造体１全体の製造コストを低くすることができる。
【００５８】
更に、管状ブロック構造体１を構成する複数の管状ブロック１０、又は、管状ブロック１０及び補助管２０が既に直列接続された状態（一体化された状態）で、管状ブロック構造体１全体を空洞７０に挿入し、且つ、空洞７０から引き抜くことができる。このため、管状ブロック構造体１の設置及び撤去に関する作業が非常に容易となる。
【００５９】
更に、フィルタブロック３０の設置により、ろ過後の水を管状ブロック構造体１内に流入させることができる。加えて、フィルタブロック３０の管軸方向端部が、管状ブロック１０の他端及び補助管２０の他端のいずれにも着脱可能に形成されている。このため、管状ブロック１０のみで管状ブロック構造体１を構成する場合、及び、管状ブロック１０と補助管２０とを併用して管状ブロック構造体１を構成する場合の何れの場合においても、管状ブロック構造体１の上流側にフィルタブロック３０を配置することができる。
【００６０】
更に、フィルタブロック３０の内側には、管状ブロック１０に固定された不織布１７と同じ又は不織布１７よりも目の粗い不織布が設けられている。これにより、この不織布の目詰まりの発生が極力抑制され得る。
【００６１】
（他の態様）
なお、本発明は上記実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６２】
例えば、上記実施形態では、空洞７０を画成する土壁が深さ方向において浸透層６８の部分と不浸透層６７の部分とを含む場合において、不浸透層６７に対応する位置に無孔の補助管２０が配置され、浸透層６８に対応する位置に有孔の管状ブロック１０が配置されている（図１参照）。これに対し、補助管２０を用いることなく、不浸透層６７に対応する位置、及び、浸透層６８に対応する位置の双方に有孔の管状ブロック１０が配置されていてもよい。この場合、最上位管状ブロック１０とフィルタブロック３０とが直接接続される。
【００６３】
更に、上記実施形態では、管状ブロック１０側面（表面）が、周方向に延びる複数の第１リブ１４と、管軸方向に延びる複数の第２リブ１５と、により構成されている（図４参照）。これに対し、管状ブロック１０側面（表面）が、周方向に対して傾斜した方向に延びる複数の第１リブ１４と、周方向に対して傾斜し且つ第１リブ１４と交差する方向に延びる複数の第２リブ１５と、により構成されていてもよい。
【００６４】
更に、上記実施形態では、道路６０の路肩６３に設置された雨水集水ます６４の底面から地中に向けて下方に（即ち、縦方向に）延びる空洞に、管状ブロック構造体１が設置されている（図１参照）。これに対し、管状ブロック構造体１は、家屋の宅内雨水ますの底面から地中に向けて下方に（即ち、縦方向に）延びる空洞、貯水層の底面から地中に向けて下方に（即ち、縦方向に）延びる空洞、及び、調整池の底面から地中に向けて下方に（即ち、縦方向に）延びる空洞に設けられてもよい。
【００６５】
更に、管状ブロック構造体１は、縦方向ではなく、横方向に配置することもできる。具体的には、例えば、地面に対して当該地面に沿って横方向に延びる所定深さの溝を形成し、当該溝内に、管状ブロック構造体１を横方向に延びる向きに配置してもよい。ここで、従来より、複数箇所に開口が形成された塩ビ管で構成された横型の雨水浸透構造体が既に知られている。この構造体を設置する場合、保護シート（不織布）を溝に敷き、その上に塩ビ管を設置し、その後、保護シートで塩ビ管を巻く、という作業が必要となる。これに対し、管状ブロック構造体１では、不織布が既に固定されているため、管状ブロック構造体１を横方向に設置した後に、管状ブロック構造体１に不織布を配置する工程を行う必要がない。したがって、従来の横型の雨水浸透構造体と比べて、雨水浸透構造体の設置に要する工期を短縮できる。
【００６６】
ここで、上述した本発明の実施形態に係る管状ブロック１０及び管状ブロック構造体１の特徴をそれぞれ以下［１］〜［６］に簡潔に纏めて列記する。
［１］  管状に形成され、地面に形成された空洞（７０）に埋設される樹脂性の管状ブロック（１０）であって、
前記管状ブロック（１０）の表面の少なくとも一部が、互いに平行な複数の第１リブ（１４）と、前記第１リブ（１４）と交差する方向に延びる互いに平行な複数の第２リブ（１５）とにより構成され、
隣り合う１組の前記第１リブ（１４）と、隣り合う１組の前記第２リブ（１５）とによって囲まれる領域が前記管状ブロック（１０）の表面に形成される開口（１６）となり、
前記開口（１６）は、前記空洞（７０）を画成する土壁から前記管状ブロック（１０）内部への土石の侵入を抑止する大きさとなっていること。
［２］  上記［１］に記載の管状ブロックにおいて、
少なくとも前記開口（１６）を覆う不織布（１７）をさらに有し、
前記不織布（１７）は、前記管状ブロック（１０）内部から前記土壁へ浸透する水に含まれる所定の物質を除去する機能を有すること。
［３］  上記［２］に記載の管状ブロックにおいて、
前記不織布（１７）が一体成形により前記管状ブロック（１０）に固定されたこと。
［４］  上記［１］乃至［３］の何れか１つに記載の管状ブロックにおいて、
前記管状ブロック（１０）の管軸方向の一端と、他の前記管状ブロック（１０）の管軸方向の他端とは、互いに着脱可能に形成されたこと。
［５］  上記［４］に記載の１以上の管状ブロック（１０）と、
前記管状ブロック（１０）と管軸が一致するよう接続される補助管（２０）と、を備えた管状ブロック構造体（１）であって、
前記補助管（２０）の管軸方向の一端と、前記管状ブロック（１０）の管軸方向の他端とは、互いに着脱可能に形成され、
前記管状ブロック構造体（１）は、前記空洞（７０）に埋設され、
前記空洞（７０）を画成する土壁の不浸透層（６７）に対応する位置に前記補助管（２０）が配置され、前記土壁の浸透層（６８）に対応する位置に前記管状ブロック（１０）が配置されるよう、前記管状ブロック（１０）と前記補助管（２０）とが接続されたこと。
［６］  上記［５］に記載の管状ブロック構造体において、
前記管状ブロック構造体（１）の上流側に、当該管状ブロック構造体（１）内に水を流入するための管状のフィルタブロック（３０）がさらに接続され、
前記フィルタブロック（３０）の管軸方向端部は、前記管状ブロック（１０）の他端及び前記補助管（２０）の他端のいずれにも着脱可能に形成され、
前記フィルタブロック（３０）には１以上の開口（３４）が形成され、
前記フィルタブロック（３０）の内側には、前記管状ブロック（１０）に固定された不織布（１７）と同じ又は当該不織布（１７）よりも目の粗い不織布が前記開口（３４）を覆うように固定されたこと。
【符号の説明】
【００６７】
１  管状ブロック構造体
１０  管状ブロック
１４  第１リブ
１５  第２リブ
１６  開口
１７  不織布
２０  補助管
３０  フィルタブロック
３４  開口
６７  不浸透層
６８  浸透層
【図１】
2019199713.tif 000003
【図２】
2019199713.tif 000004
【図３】
2019199713.tif 000005
【図４】
2019199713.tif 000006
【図５】
2019199713.tif 000007
【図６】
2019199713.tif 000008
【図７】
2019199713.tif 000009